(57)【要約】【課題】建築物の屋外開口部に備えられるサッシにおいて、侵入に手間がかかり侵入盗被害の防止に効果的で安価な屋外用サッシの防犯装置の提供を目的とする。【解決手段】建築物の屋外開口部に備えられる屋外用サッシにおいて、縦枠ロック取付ベース部材を設け、該ロック取付ベース部材側から戸先框の室内側側面に向けて突出あるいは、ロック取付ベース部材側に収納するロック回転子をロック取付ベース部材に台座を介して備え、戸先框の室内側側面に当該ロック回転子の受け部を設けた。【選択図】  図７
2005146616.tif 000002
【特許請求の範囲】
【請求項１】
建築物の屋外開口部に備えられる屋外用サッシにおいて、縦枠にロック取付ベース部材を設け、該ロック取付ベース部材側から障子の戸先框室内側側面に向けて突出あるいは、ロック取付ベース部材側に収納するロック回転子をロック取付ベース部材に台座を介して備え、前記戸先框の室内側側面に当該ロック回転子の受け部を設けたことを特徴とする屋外用サッシの防犯装置。
【請求項２】
建築物の屋外開口部に備えられる屋外用サッシにおいて、縦枠と戸先框との間に水密保持タイト材を介在させ、縦枠にロック取付ベース部材を設け、該ロック取付ベース部材側から障子の戸先框の室内側側面に向けて突出あるいは、ロック取付ベース部材側に収納するロック回転子をロック取付ベース部材に台座を介して備え、戸先框の室内側側面に当該ロック回転子の受け部を設けたことを特徴とする屋外用サッシの防犯装置。
【請求項３】
建築物の屋外開口部に備えられる屋外用サッシにおいて、縦枠ロック取付ベース部材を設け、該ロック取付ベース部材側から障子の戸先框室内側側面に向けて突出あるいは、ロック取付ベース部材側に収納するロック回転子をロック取付ベース部材に台座を介して備え、当該操作レバーが外部から窓ガラス越しに見えないようにロック取付ベース部材に沿ってカバー部材を備え、戸先框の室内側側面に当該ロック回転子の受け部を設けたことを特徴とする屋外用サッシの防犯装置。
【請求項４】
引違いサッシの内障子召合框の召合面から外障子召合框に向けて突出あるいは、内障子召合框側に収納する召合部ロック回転子を当該内障子召合面に台座を介して備え、当該召合部ロック回転子の操作レバーを内障子召合框のガラス保持間口の反対側面部（Ｌ）に備え、外障子召合框の召合面に当該召合部ロック回転子の受け部を備えたことを特徴とする請求項１〜請求項３記載の屋外用サッシの防犯装置。
【請求項５】
内障子召合框の召合面から外障子召合框に向けて突出あるいは、内障子召合框側に収納する召合部ロック回転子を当該内障子召合面に台座を介して備え、当該召合部ロック回転子の操作レバーを内障子召合框のガラス保持間口の反対側面部（Ｌ）に備え、当該召合部ロック回転子操作レバーが外部から窓ガラス越に見えないように、内障子召合框に沿って召合部ロック回転子操作レバーカバー部材を備え、外障子召合框の召合面に当該召合部ロック回転子の受け部を備えたことを特徴とする請求項１〜請求項３記載の屋外用サッシの防犯装置。
【請求項６】
片引きサッシの固定障子召合框の召合面から可動障子召合框に向けて突出あるいは、固定障子召合框側に収納する召合部ロック回転子を当該可動障子召合面に台座を介して備え、当該召合部ロック回転子の操作レバーを固定障子召合框のガラス保持間口の反対側面部（Ｌ）に備え、可動障子召合框の召合面に当該召合部ロック回転子の受け部を備えたことを特徴とする請求項１〜請求項３記載の屋外用サッシの防犯装置。
【請求項７】
片引きサッシの固定障子召合框の召合面から可動障子召合框に向けて突出あるいは、固定障子召合框側に収納する召合部ロック回転子を当該固定障子召合面に台座を介して備え、当該召合部ロック回転子の操作レバーを固定障子召合框のガラス保持間口の反対側面部（Ｌ）に備え、当該召合部ロック回転子操作レバーが外部から窓ガラス越に見えないように、固定障子召合框に沿って召合部ロック回転子操作レバーカバー部材を備え、可動障子召合框の召合面に当該召合部ロック回転子の受け部を備えたことを特徴とする請求項１〜請求項３記載の屋外用サッシの防犯装置。
【請求項８】
サッシ枠と障子の間に、障子を持ち上げて取り外すのを防止した外れ止め部材を備えたことを特徴とする請求項１〜請求項７記載の屋外用サッシの防犯装置。
【請求項９】
障子召合部にクレセント錠を備えたことを特徴とする請求項１〜請求項８記載の屋外用サッシの防犯装置。
【発明の詳細な説明】
【技術分野】
【０００１】
本発明は、建築物の屋内外を仕切るサッシの防犯装置に関する。
【背景技術】
【０００２】
建築物の屋外開口部には、屋内（室内）と屋外（室外）を仕切るサッシが広く採用され、取り付けられている。
それは、引違いサッシ等が広い開口面積を確保出来ることや、我が国の建築方法が柱や梁を主体にした軸組工法が多く採用されていること等の理由によると言われている。
【０００３】
しかし、最近ではドアにおいてさえ、ピッキング、サムターンまわし等の極めて荒っぽい侵入盗犯罪が多発していて、引違いサッシ等はドア以上に防犯対策が困難であり、その対策が急務となっている。
警察庁によると、住宅における侵入盗被害は増加の一途をたどり、発生件数は２００２年で前年比１７％増の約１８万件を数え、１０年前の１．５倍に増えている。
侵入の手口で最も多いのがベランダの窓からであり、侵入盗はサッシのガラスを破って解錠し、侵入している。
財団法人都市防犯研究センターのデータによれば、侵入者が嫌うのは侵入に時間がかかることであり、侵入に２〜５分かかると約７０％が犯行をあきらめるとの報告がある。
【０００４】
窓からの侵入を防ぐ手段として、ガラスを破れないようにした合わせガラスが提案されている。
しかし、防犯性は高いものの高価であり場合によってはサッシ本体よりも高く、市場における採用度は低い。
【０００５】
一方、サッシの錠の面からは例えば、図２７に示すように召合框に取り付けた例えば、クレセント錠５０のような引き寄せ回転錠を１つ取り付けただけでは、ガラスの一部３７Ａを破り簡単に解錠し侵入されるので、図２８及び図２９に示すように、クレセント錠５０の他に下框に補助錠６０を取り付ける方法が特開２００２−４６７０号公報に開示されている。
確かに、クレセント錠１つよりは補助錠を付けた分だけ侵入に時間がかかるものの、それでも侵入時間をかせぐ効果はわずかであり対策が不充分であった。
また、クレセント錠を上下に２ヶ所、取り付ける方法も考えられるが、クレセント錠は比較的高価であり、クレセントの回転が不完全であれば障子を上下にゆすると解錠してしまう問題もあった。
【０００６】
【特許文献１】特開２００２−４６７０号公報
【発明の開示】
【発明が解決しようとする課題】
【０００７】
本発明は上記技術的課題に鑑みて、建築物の屋外開口部に備えられる屋外用サッシにおいて、侵入に手間がかかり侵入盗被害の防止に効果的で安価な屋外用サッシの防犯装置の提供を目的とする。
【課題を解決するための手段】
【０００８】
請求項１記載の係る発明は、建築物の屋外開口部に備えられる屋外用サッシにおいて、縦枠にロック取付ベース部材を設け、該ロック取付ベース部材側から障子の戸先框室内側側面に向けて突出あるいは、ロック取付ベース部材側に収納するロック回転子をロック取付ベース部材に台座を介して備え、前記戸先框の室内側側面に当該ロック回転子の受け部を設けたことを特徴とする。
【０００９】
ここで、屋外開口部に備えられる屋外用サッシとは、例えばベランダなどに取り付けられる屋内と屋外とを仕切る引違いまたは片引き戸や、引違いまたは片引き窓のようなサッシをいう。
具体的には、サッシ縦枠より戸先框の室内側面とほぼ平行となるように立設したロック取付ベース部材を、障子を閉じた状態の戸先框の室内側側面に沿う形状に設ける。
そのロック取付ベース部材の室外側に、閉じた状態の障子戸先框の室内側側面に向けて突出あるいは回転収納するロック回転子を備え、ロック取付ベース部材のロック回転子取付位置に貫通孔などの切欠部を設け、このロック回転子の回転操作部を貫通孔から室内側へ挿通して設けたことにより、コンパクトで操作性の良いロック装置となる。
サッシ縦枠にロック回転子を収納するとは、ロック解除した際にロック回転子が障子と干渉しないようにとの趣旨であり、サッシ縦枠の前記ロック取付ベース部材の室外側側面にロック回転子が納まる凹部を設けて、凹部内にロック回転子を取り付ける。
この凹部は押出形材断面として容易に形成できる。
押出形材断面として縦枠に設けたロック取付ベース部材に凹部を形成すると、上下方向に連結した凹部になり、ロック装置の取り付け高さが自由になる。
一方、戸先框の室内側側面のロック回転子受け部も押出形材断面形状にて凹部や段差を形成すると、上下方向に連続的な受け部が容易に製作できるだけでなく、クレセント錠の爪受けのような上下方向の規制がなく、障子を上下にゆすっても干渉物がなく回転子が解錠方向に回ることもない。
上記ロック装置は、貫通孔をロック取付ベース部材の任意の高さに設けて取り付けることが可能であり、ロック装置の数も１つに限られず、戸先框の上下に対応させて取り付けてもよい。
例えば、引違いサッシの場合には外障子と内障子それぞれの戸先框の上部と下部の位置に対応する縦枠の４カ所にとりつけても良い。
そして召合框の中央にクレセント錠を取り付けると良い。
【００１０】
請求項２記載の係る発明は、建築物の屋外開口部に備えられる屋外用サッシにおいて、縦枠と戸先框との間に水密保持タイト材を介在させ、縦枠にロック取付ベース部材を設け、該ロック取付ベース部材側から障子の戸先框の室内側側面に向けて突出あるいは、ロック取付ベース部材側に収納するロック回転子をロック取付ベース部材に台座を介して備え、戸先框の室内側側面に当該ロック回転子の受け部を設けたことを特徴とする。
【００１１】
この種の屋外用引違い、または片引きサッシにおいては、室内への雨水の浸入、外気の侵入を防止するための、戸先部の気密・水密性の確保も重要品質の１つである。
本発明においては、引違い、または片引きサッシにおける縦枠と戸先框との間に水密保持タイト材を介在させることで気密・水密性を確保しながらも、サッシの枠と戸先框に簡単に組み込むことができる防犯装置が得られた点に特徴がある。
【００１２】
請求項３記載の係る発明は、建築物の屋外開口部に備えられる屋外用サッシにおいて、縦枠ロック取付ベース部材を設け、該ロック取付ベース部材側から障子の戸先框室内側側面に向けて突出あるいは、ロック取付ベース部材側に収納するロック回転子をロック取付ベース部材に台座を介して備え、当該操作レバーが外部から窓ガラス越しに見えないようにロック取付ベース部材に沿ってカバー部材を備え、戸先框の室内側側面に当該ロック回転子の受け部を設けたことを特徴とする。
【００１３】
本発明のロック装置は縦枠及び戸先框に任意の高さにて取り付けることが出来ることから、請求項１記載の発明と比較して請求項３記載の発明の特徴は、このロック装置が屋外から窓ガラス越しに見えないように縦枠に沿って操作レバーカバー部材を備えた点である。
具体的には、サッシ縦枠より立設したロック取付ベース部材の端部を室外側の障子を閉じた状態における戸先框方向と室内側方向へ延在させる等して、ロック取付ベース部材端部に操作レバーカバー部材を設け、ロック回転子の本体部分とロック回転子の回転操作部をこの操作レバーカバー部材にて覆う。
これにより、例えば図２７に示すように侵入者がガラスを破って中央のクレセント錠を解錠しても窓が開かず、次に仮に補助錠６０を下框に取り付けてあると思い、その部分のガラスを破っても窓が開かない。
ところが、その他の錠（ロック装置）が外から見えないので気があせり、予想外に時間もかかり、侵入をあきらめることが期待される。
従って本発明においては、従来のクレセント錠と組み合わせて取り付けると効果的である。
【００１４】
このロック回転子を使用した防犯装置は障子召合部分に設けても良く、引違いサッシにおいては、内障子召合框の召合面から外障子召合框に向けて突出あるいは、内障子召合框側に収納する召合部ロック回転子を当該内障子召合面に台座を介して備え、当該召合部ロック回転子の操作レバーを内障子召合框のガラス保持間口の反対側面部（Ｌ）に備え、当該召合部ロック回転子操作レバーが外部から窓ガラス越に見えないように、内障子召合框に沿って召合部ロック回転子操作レバーカバー部材を備え、外障子召合框の召合面に当該召合部ロック回転子の受け部を備えた。
【００１５】
また片引きサッシにおいては、固定障子召合框の召合面から可動障子召合框に向けて突出あるいは、固定障子召合框側に収納する召合部ロック回転子を当該内障子召合面に台座を介して備え、当該召合部ロック回転子の操作レバーを固定障子召合框のガラス保持間口の反対側面部（Ｌ）に備え、当該召合部ロック回転子操作レバーが外部から窓ガラス越に見えないように、固定障子召合框に沿って召合部ロック回転子操作レバーカバー部材を備え、可動障子召合框の召合面に当該召合部ロック回転子の受け部を備えた。
【００１６】
サッシの召合部における気密・水密性を確保するために、内障子召合框と外障子召合框の間又は、可動障子と固定障子の間に相互にかみ合う煙返し片と、水密保持タイト材を介在させた召合部構造においても、召合部ロック回転子からなる防犯構造は簡単に組み込むことができる。
【００１７】
クレセント錠は完全に回転施錠していないと障子を上下方向にバール等でゆすると解除し、さらには、こじ上げて障子を外すことが考えられる。
そこで、サッシ枠と障子との間に、障子を持ち上げて取り外すのを防止した外れ止め部材を備えるのが良い。
【発明の効果】
【００１８】
本発明のロック装置（防犯装置）は、縦枠にロック取付ベース部材を設け、任意の位置（高さ）に台座を介して、戸先框の室内側側面に向けて回転突出するロック回転子を取り付け、これに対応するロック回転子受け部を戸先框の室内側側面に設けることで、水密保持タイト材で水密性を確保しつつ、簡単にロック構造が得られる。
このように本発明におけるロック装置は、台座の取り付け位置（高さ）を任意に選定出来、クレセント錠における爪受けのような上下方向の規制がないので障子を上下にゆすってもロック回転子が解錠側に戻ることもなく、高い防犯効果が得られる。
また、召合部分にもロック回転子によるロック構造を設けることで更に防犯性が高まる。
特に、ロック装置が屋外から見えないようにロック操作レバーカバー部材（隠蔽部材）を設けると、侵入者がクレセント錠を解錠しても何故窓が開かないのか分からなくなり、更に補助ロックを探しても本発明に係るロック装置は任意の高さに取り付けられ、かつ、外から見えないので気が動転して侵入をあきらめることが期待される。
本発明に係るロック装置は、障子の開く方向をロックするのが主目的であることから、障子を上に持ち上げてレールから外すのを防止するには、障子外れ止め部材と組み合わせるのが効果的である。
【発明を実施するための最良の形態】
【００１９】
図２３に本発明に係るロック装置を引違いサッシに取り付けた例を示す。
住宅の開口部に上枠１１、下枠１２、左右の縦枠１３、１４にて略方形に形成したサッシ枠開口部に外障子３０と内障子２０からなる引違い障子が取り付けられている。
外障子３０及び内障子２０の戸先框３４、２４に２つずつ、上部及び下部の任意の高さにロック装置４０が取り付けられている。
召合部略中央にはクレセント錠５０が取り付けられている。
なお、ロック装置の取り付け数は特に限定されない。
【００２０】
ロック装置４０の取り付け位置を図１の縦断面及び図３の横断面図に示す。
図１及び図３がロック装置により施錠した状態を示し、図２及び図４が解錠した状態を示す。
なお、縦断面図ではロック装置とクレセント錠の取り付け高さがわかるように、外障子と内障子の縦断面図にロック装置とクレセント錠を重ねて描いてある。
外障子は上框３１、下框３２、戸先框３４及び召合框３３にて障子枠を形成し、枠内にガラス３７等が装着されている。
内障子も同様に、上框２１、下框２２、戸先框２４及び召合框２３にて障子枠を形成し、枠内にガラス２５等が装着されている。
【００２１】
クレセント錠５０は操作レバー５２を回転軸５１ａを中心に上方に回転させ、回転係止部５１が図３に示すように外障子召合框３３に取り付けた係止爪５３に引っ掛かり、外障子が内障子側に引き寄せられロックされる。
左縦枠１３の障子側には、断面が略Ｔ字形状で、左縦枠１３から立設したロック取付ベース部材１３ａが左縦枠１３に沿って設けられ、右縦枠の障子側にも同様にロック取付ベース部材１４ａが設けられている。
ロック取付ベース部材１３ａ、１４ａにはロック装置４０が取り付けられている。
図１、図３に示す施錠状態ではロック装置４０の突出部４１ｂはそれぞれ戸先框３４、２４側へ突出している。
一方、図２、図４に示す解錠状態ではロック装置は回転軸４１ａを軸として回転し、突出部４１ｂは上向きとなりロック取付ベース部材１３ａ、１４ａ側へ収納されている。
また、図２３及び図１に示すように、上枠１１と障子２０、３０の間には障子の外れ止め部材１１ａが上枠側に取り付けられていて、障子を持ち上げてレールから外すことが出来ないようにされている。
なお、図２３には透視図として取り付け位置の例を示してある。
また、この障子外れ止め部材は、必ずしも上に備える必要もなく、例えば障子と下枠との間に取り付けてもよい。
【００２２】
ロック装置４０の取り付け構造を図５及び図６に示し、図５が施錠状態であり、図６が解錠状態を示す。
また、施錠状態の内観図を図７に、外観図を図８にそれぞれ示す。
図５及び図６において、（イ）がロック装置を上部から見た図であり、（ロ）が左側面図で（ハ）が正面図である。
ロック装置４０は、ロック台座４３がビス等の係止部材４４にてサッシ縦枠のロック取付ベース部材１３ａの室外側側面１３ｃ（図８）に取り付けられ、このロック台座の軸受け部４３ａに回転（回動）自在にロック回転子４１が取り付けられている。
ロック回転子４１は、図７に示すようにロック取付ベース部材１３ａに貫通孔（図示省略）を設け、その貫通孔を通して室内側に設けたロック操作レバー４２とアーム部４２ａを介して連結されている。
このように、ロック台座４３をビス等の係止部材４４にてロック取付ベース部材１３ａに取り付ける構造になっているので、ロック取付ベース部材１３ａの任意の高さに容易に取り付けられる。
また、図７、図８に示すようにロック取付ベース部材１３ａの端部には、ロック操作レバー４２及び台座４３等が室外（屋外）から窓ガラス３７越しに見えないように操作レバーカバー部材１３ｂが設けられている。
ロック取付ベース部材は、先端が操作レバー及び台座を包み込むように断面略Ｔ字形状に延在し、操作レバーカバー部材を形成している。
このロック取付ベース部材は図７に示すように押出形材として一体で縦枠に形成するほか、図１１、図１２に示すように縦枠１３とは別体で形成して取り付けてもよい。
図１１、図１２ではロック取付ベース部材８１はビス等の連結部材８２により縦枠に取り付けられている。
このように、操作レバー等ロック装置を操作レバーカバー部材で包み込むように配設すると図１０に示すように、視線をａ、ｂ、ｃの位置にずらしても操作レバーカバー部材１３ｂと戸先框３４によりロック装置が隠蔽されているため、ガラス３７を通して室外側から見えず、ロック装置があるか否かが分からない。
この操作レバーカバー部材は、ロック装置の位置を隠蔽するのが目的であり、縦枠の上下方向に部分的に設けてもよいが全長にわたって設けるのが効果的である。
また、不透明系のガラスであればこのカバー部は無くてもよい。
操作レバーはロック操作が容易になるようにワンタッチで開閉出来るようにバネ規制してもよく、レバーの室内側に蛍光塗料等を塗布して夜間に施錠を確認しやすくしてもよい。
【００２３】
施錠状態の構造を図５にて説明すると、ロック回転子４１の突出部４１ｂが障子戸先框３４の室内側側面に突出し、外障子戸先框の回転子受け部３４ａに係合している。
図６（図９）に示すように、ロック操作レバー４２を手前に倒すとロック回転子４１の突出部４１ａが縦枠１３とロック取付ベース部材１３ａと操作レバーカバー部材１３ｂで形成される凹部に収納され、突出部４１ａと受け部３４ａとの係合が外れてロックが解除される。
なお、外障子側のロック回転子受け部３４ａは、図６に示すように戸先框３４の室内側側面に段差状の凹部を形成して設けてもよく、図１３、図１４に示すように切り欠き穴３４ｂを形成したり、受け金具をビス等で取り付けてもよい。
その場合には、ロック回転子の突出部４１ｂはフック状になる。
【００２４】
図２４に本発明に係るロック装置を片引きサッシに取り付けた例を示す。
上枠１１、下枠１２、左右の縦枠１３、１４にて略方形に形成したサッシ枠開口部に可動障子７０と固定障子６０が取り付けられている。
可動障子戸先框７４の上部及び下部の任意の高さにロック装置４０が２つ取り付けられている。
召合部略中央にはクレセント錠５０が取り付けられている。
【００２５】
ロック装置４０の取り付け位置を図１５の縦断面及び図１７の横断面図に示す。
図１５及び図１７が施錠した状態を示し、図１６及び図１８が解錠した状態を示す。
可動障子７０は上框７１、下框７２、戸先框７４及び召合框７３にて障子枠を形成し、枠内にガラス３７等が装着されている。
固定障子６０は、上框６１、下枠１２、縦枠１４、召合框６３で形成される枠内にガラス２５等が装着されている。
ロック装置による施錠は、図１７に示すようにロック装置４０の突出部４１ｂを回転させ、可動障子７０の受け部７４ａへ嵌めることで行う。
解錠は図１８に示すようにロック操作レバー４２を操作して突出部４１ｂを回転させ、可動障子７０とロック装置突出部４１ｂが干渉しないようにする。
【００２６】
本発明にかかるロック装置は障子の召合部にクレセント錠と併用して取り付けてもよく、図２５に引違いサッシの召合部にロック装置を取り付けた例を示す。
召合部の上部及び下部の任意の高さに召合部ロック装置４０ａが２つ取り付けられ、召合部略中央にはクレセント錠５０が取り付けられている。  
ロック装置４０ａの取り付け状態を図１９と図２０の横断面図に示す。
図１９が施錠した状態を示し、図２０が解錠した状態を示す。
召合框の位置関係は、障子が閉じた際に内障子召合框煙返し片２３ｂと外障子煙返し片３３ｂが噛み合い、水密保持タイト材３５にてシールされている。
なお、図１９と図２０に示す例においては補助タイト材３６も取り付けられている。
図１９では内障子２０の召合框２３の召合面から外障子３０の召合框３３に向けてロック回転子４１の突出部４１ｂが突出することで、外障子３０の召合面に設けられている受け部３３ａに突出部４１ｂが嵌り外障子と内障子をロックしている。
そして、ロック回転子の側部より内障子召合框２３の側面Ｌ（ガラス２５保持間口の反対側）に設けられている回転操作部４２を操作することで図２０に示すように突出部は内障子召合框２３の召合面に設けられている凹部に回転収納され、外障子と内障子のロック装置によるロックは解除される。  
【００２７】
図２６に片引きサッシの召合部にもロック装置を取り付けた例を示す。
可動障子７０と固定障子６０の召合部の上部及び下部の任意の高さに召合部ロック装置４０ａが２つ取り付けられ、召合部略中央にはクレセント錠５０が取り付けられている。  図２１に施錠した状態の横断面図を、図２２に解錠した状態の横断面図を示す。
図２１では固定障子６０の召合框６３の召合面から可動障子召合框７３に向けてロック回転子４１の突出部４１ｂが突出し、可動障子召合框７３の召合面に設けられている受け部７３ａに嵌り可動障子７０と固定障子６０をロックしている。
そして、ロック回転子４１の側部より固定障子召合框６３の側面Ｌ（ガラス２５保持間口の反対側）に設けられている回転操作部４２を操作することで図２２にしめすように突出部４１ｂは固定障子６０の召合框６３の召合面に設けられている凹部に回転収納され、可動障子と固定障子のロックは解除される。  
【００２８】
サッシ外枠と戸先框の位置関係は図６に示すように、縦タイト材３８及びシール部材３９にてシールされている。
このように、サッシ外枠と戸先框の間をタイト材でシールしながら簡単にロック装置を組み込むことができる。
【００２９】
上記のように本発明に係るロック装置は、上下方向の任意の高さに取り付けられることから、仮にクレセント錠を上下に２ヶ所取り付けるよりも、侵入者の意外性をつくことになり防犯性が高く、構造もクレセント錠より明らかに簡単である。
【図面の簡単な説明】
【００３０】
【図１】施錠状態の縦断面図を示す。
【図２】解錠状態の縦断面図を示す。
【図３】施錠状態の横断面図を示す。
【図４】解錠状態の横断面図を示す。
【図５】突き合わせ構造を示す（施錠状態）
【図６】突き合わせ構造を示す（解錠状態）
【図７】ロック装置内観図を示す。
【図８】ロック装置外観図を示す。
【図９】ロック装置操作方法を示す。
【図１０】侵入者の目の位置とロック操作レバーの関係を示す。
【図１１】ロック取付ベース部材を別体としたロック装置例を示す。
【図１２】ロック取付ベース部材を別体としたロック装置内観図を示す。
【図１３】ロック回転子受け部が切り欠き穴の例を示す。
【図１４】ロック回転子受け部が切り欠き穴の場合の内観図を示す。
【図１５】片引きサッシでの施錠状態の縦断面図を示す。
【図１６】片引きサッシでの解錠状態の縦断面図を示す。
【図１７】片引きサッシでの施錠状態の横断面図を示す。
【図１８】片引きサッシでの解錠状態の横断面図を示す
【図１９】引違いサッシの召合部にもロック装置を取り付けた場合の施錠状態の横断面図を示す。
【図２０】引違いサッシの召合部にもロック装置を取り付けた場合の解錠状態の横断面図を示す。
【図２１】片引きサッシの召合部にもロック装置を取り付けた場合の施錠状態の横断面図を示す。
【図２２】片引きサッシの召合部にもロック装置を取り付けた場合の解錠状態の横断面図を示す。
【図２３】引違いサッシにロック装置を取り付けた場合に室内側から見た図を示す。
【図２４】片引きサッシにロック装置を取り付けた場合に室内側から見た図を示す。
【図２５】引違いサッシの召合部にもロック装置を取り付けた場合に室内側から見た図を示す。
【図２６】片引きサッシの召合部にもロック装置を取り付けた場合に室内側から見た図を示す。
【図２７】従来のクレセント錠を示す。
【図２８】補助ロック取付例を示す。
【図２９】補助ロック部拡大図を示す。
【符号の説明】
【００３１】
１１    上枠
１１ａ  上枠に取り付けた障子の外れ止め部材
１２    下枠
１３    左縦枠
１３ａ  左縦枠ロック取付ベース部材
１３ｂ  左縦枠操作レバーカバー部材
１３ｃ  ロック取付ベース部材室外側側面
１４    右縦枠
２０    内障子
２１    内障子上枠
２２    内障子下枠
２３    内障子召合框
２３ａ  ロック操作レバーカバー部材
２３ｂ  内障子煙返し片
２３ｃ  内障子召合面
２４    内障子戸先框
２５    内障子ガラス
３０    外障子
３１    外障子上框
３２    外障子下框
３３    外障子召合框
３３ａ  ロック回転子受け部
３３ｂ  外障子煙返し片
３４    外障子戸先框
３４ａ  ロック回転子受け部
３４ｂ  戸先框切り欠き穴（ロック回転子受け部）
３５    タイト材
３６    補助タイト材
３７    外障子ガラス
３８    タイト材
３９    シール部材
４０、４０ａ    ロック装置
４１    ロック回転子
４１ａ  ロック回転子回転軸
４１ｂ  回転子突出部
４２    ロック操作レバー
４２ａ  ロック操作レバーのアーム部
４３    ロック台座
４３ａ  ロック台座の軸受け部
４４    係止部材
５０    クレセント錠
５１    回転係止部
５１ａ  クレセント回転軸
５２    クレセント錠レバー
５３    クレセント錠係止爪
６０    固定障子
６１    固定障子上枠
６３    固定障子召合框
６３ａ  固定障子召合面
７０    可動障子
７１    可動障子上框
７２    可動障子下框
７３    可動障子召合框
７３ａ  受け部
７４    可動障子戸先框
７４ａ  受け部
８１    別体のロック取付ベース部材
８２    連結部材
Ｌ    内障子召合框のロック操作レバー取付側面
Ｒ    内障子召合框のガラス保持間口側面
【図１】
2005146616.tif 000003
【図２】
2005146616.tif 000004
【図３】
2005146616.tif 000005
【図４】
2005146616.tif 000006
【図５】
2005146616.tif 000007
【図６】
2005146616.tif 000008
【図７】
2005146616.tif 000009
【図８】
2005146616.tif 000010
【図９】
2005146616.tif 000011
【図１０】
2005146616.tif 000012
【図１１】
2005146616.tif 000013
【図１２】
2005146616.tif 000014
【図１３】
2005146616.tif 000015
【図１４】
2005146616.tif 000016
【図１５】
2005146616.tif 000017
【図１６】
2005146616.tif 000018
【図１７】
2005146616.tif 000019
【図１８】
2005146616.tif 000020
【図１９】
2005146616.tif 000021
【図２０】
2005146616.tif 000022
【図２１】
2005146616.tif 000023
【図２２】
2005146616.tif 000024
【図２３】
2005146616.tif 000025
【図２４】
2005146616.tif 000026
【図２５】
2005146616.tif 000027
【図２６】
2005146616.tif 000028
【図２７】
2005146616.tif 000029
【図２８】
2005146616.tif 000030
【図２９】
2005146616.tif 000031